(57)【要約】      （修正有）【課題】光による自由度の高い演出を演出者の動作に確実に連動させて実行できる発光演出装置を提案し、利用者の満足度を向上させる。【解決手段】位置を異ならせて配置された複数の発光体と、前記各発光体の発光を制御する制御部と、注がれる媒体を収容する媒体収容部２と、該媒体を検知する媒体検知部１３とを備えた発光演出装置１であり、前記媒体検知部１３は、注がれた前記媒体の量に応じて出力を異ならせる構成であり、前記制御部は、前記媒体検知部１３が媒体を検知しない初期状態で前記発光体を消灯させておき、前記媒体検知部１３が媒体を検知すると前記発光体の一部の発光を始め、前記媒体検知部１３が検知する媒体の量に応じて発光させる前記発光体の数を増加させる構成とした。【選択図】図２
2013048885.tif 000002
【特許請求の範囲】
【請求項１】
位置を異ならせて配置された複数の発光体と、
前記各発光体の発光を制御する制御部と、
注がれる媒体を収容する媒体収容部と、
該媒体を検知する媒体検知部とを備え、
前記媒体検知部は、注がれた前記媒体の量に応じて出力を異ならせる構成であり、
前記制御部は、前記媒体検知部が媒体を検知しない初期状態で前記発光体を消灯させておき、前記媒体検知部が媒体を検知すると前記発光体の一部の発光を始め、前記媒体検知部が検知する媒体の量に応じて発光させる前記発光体の数を増加させる構成である
発光演出装置。
【請求項２】
前記制御部は、前記媒体検知部による検知する媒体の量が増加して全ての発光体を発光させると、全ての発光体を用いて発光の変化による演出を実行する構成である
請求項１記載の発光演出装置。
【請求項３】
操作入力を検知する入力手段を備え、
前記制御部は、前記入力手段による入力を受け付けると、前記媒体収容部に前記媒体が注がれていなくとも全ての前記発光体を発光させて動作確認を実行する構成である
請求項１または２記載の発光演出装置。
【請求項４】
前記発光体の少なくとも前方を覆う位置大きさに前記媒体収容部が配置され、
前記複数の発光体は、前記媒体収容部の下方位置付近から上方位置付近までの複数の高さ位置に配置され、
前記制御部は、媒体収容部に前記媒体が注がれて前記媒体の上面高さが上昇すると、該上面高さより下方位置となった前記発光体を発光させるよう、前記媒体検知部の出力と発光させる各発光体とを対応させた構成である
請求項１、２、または３記載の発光演出装置。
【請求項５】
前記制御部は、前記媒体検知部が媒体を検知すると前記発光体の一部の発光を始め、前記媒体検知部が検知する媒体の量に応じて発光させる前記発光体の数を増加させる順次発光モードを実行している間、前記媒体検知部が検知する媒体の量が減少しても一度発光させた発光体を消灯しない構成である
請求項１から４のいずれか１つに記載の発光演出装置。
【請求項６】
誤作動を防止する誤作動防止手段を備えた
請求項１から５のいずれか１つに記載の発光演出装置。
【請求項７】
請求項１から６のいずれか１つに記載の発光演出装置を用い、
前記媒体収容部内に前記媒体を注ぎ込み、
前記発光体の発光による演出を行う
発光演出方法。
【発明の詳細な説明】
【技術分野】
【０００１】
この発明は、例えば結婚披露宴などのパーティーで光の演出を行うような発光演出装置に関する。
【背景技術】
【０００２】
従来、結婚披露宴で行われる演出として、キャンドルサービスが行われている。近年では、キャンドルサービス以外にも様々な演出が行われており、発光液を用いた光の演出も行われている。この光の演出を行う用具としては、例えばグラスタワー用具が提案されている（特許文献１参照）。
【０００３】
特許文献１のグラスタワー用具は、シャンパンタワーを容易に実施するためのものである。これにより、グラス溢流が順次下段グラスに流下するグラスタワー使用のアトラクションを容易に実現できるとされている。
【０００４】
このような発光液を用いた演出は、新郎新婦等の演出者が発光液を注ぐ動作に連動した演出ができるため、結婚披露宴の演出に適するものである。
【０００５】
しかし、光の色や強度が発光液に依存するため、発光液の特性を超える光の演出はできないという課題があった。
【０００６】
一方、光の演出を行うものとして、発光ダイオード内蔵テーブルが提案されている（特許文献２参照）。この発光ダイオード内蔵テーブルは、発光ダイオードを利用するものであるため、発光液に比べて光の演出に対する自由度が高いものと考えられる。
【０００７】
しかし、ワイヤレスによる遠隔制御を行うものであるため、新郎新婦等の演出者の動作に連動するものではないという課題、およびワイヤレスによる遠隔制御のタイミングや操作に誤りがあると状況にそぐわない演出になるという課題があった。
【先行技術文献】
【特許文献】
【０００８】
【特許文献１】特開２０００−３４２４３６号公報
【特許文献２】特開２００７−２０９６４８号公報
【発明の概要】
【発明が解決しようとする課題】
【０００９】
この発明は、上述した問題点に鑑み、光による自由度の高い演出を演出者の動作に確実に連動させて実行できる発光演出装置を提案し、利用者の満足度を向上させることを目的とする。
【課題を解決するための手段】
【００１０】
この発明は、位置を異ならせて配置された複数の発光体と、前記各発光体の発光を制御する制御部と、注がれる媒体を収容する媒体収容部と、該媒体を検知する媒体検知部とを備え、前記媒体検知部は、注がれた前記媒体の量に応じて出力を異ならせる構成であり、前記制御部は、前記媒体検知部が媒体を検知しない初期状態で前記発光体を消灯させておき、前記媒体検知部が媒体を検知すると前記発光体の一部の発光を始め、前記媒体検知部が検知する媒体の量に応じて発光させる前記発光体の数を増加させる構成である発光演出装置であることを特徴とする。
【発明の効果】
【００１１】
この発明により、光による自由度の高い演出を演出者の動作に確実に連動させて実行でき、利用者の満足度を向上させることができる。
【図面の簡単な説明】
【００１２】
【図１】発光演出装置の外観を示す斜視図。
【図２】発光演出装置の一部拡大縦断面図。
【図３】電気系統部の構成を示すブロック図。
【図４】発光制御設定データのデータ構成図。
【図５】発光演出装置の制御部の動作を示すフローチャート。
【図６】他の外観形状を説明する説明図。
【図７】実施例２の発光演出装置の上部と注ぎ口カバーを示す縦断拡大正面図。
【図８】実施例３の発光演出装置の電気系統部の構成を示すブロック図
【発明を実施するための形態】
【００１３】
この発明の一実施形態を以下図面と共に説明する。  
【実施例１】
【００１４】
図１は、発光演出装置１の外観を示す斜視図であり、図２は発光演出装置１の一部拡大縦断面図を示す。  
発光演出装置１は、図１に示すように媒体収容部２と、土台７と、電気系統部１０とで主に構成されている。
【００１５】
媒体収容部２は、プラスチック、アクリル、あるいはガラス等の透明素材または半透明素材により形成されている。この媒体収容部２は、上面が開放され底部５が設けられている円筒形の外筒３と、前記底部５の上面中心に基部が設けられた円筒形で上面密閉された内筒４とで構成されている。媒体収容部２の外筒３の下部には、底部５より下方へ突出する取付足部２ａが設けられている
外筒３の底部５には、穴６が設けられている。内筒４は、内部中空で底面が開放されている。この内筒４の中空部に、電気系統部１０のＬＥＤ配設基盤２５が底面から上端付近に渡って配置されている。この構成により、外筒３の内側に媒体としての水Ｗが注ぎ込まれると、発光体としてのＬＥＤ２９の前方を含む水平方向全周囲が水Ｗで覆われる。
【００１６】
内筒４の上端は、外筒３の上端より低く構成されている。これにより、外筒３の開口３ａ内にジョーロＪ（図２参照）で水Ｗ（図２参照）を注いだ際に、水Ｗが内筒４の上面にかかって跳ねこぼれたりすることを防止している。また、内筒４の上端が外筒３の上端より低いことにより、外筒３と内筒４の隙間を狙って注ぐようなことをせずとも、外筒３内に容易に水Ｗを注げるようにしている。
【００１７】
土台７は、３つの立方体を積み重ねた形状に形成されており、上面に媒体収容部２の取付足部２ａを取り付ける取付穴８が設けられている。この取付穴８は平面視円形で所定高さに形成され、その内周面が、円筒形の取付足部２ａの外周面に当接するよう構成されている。これにより、取付穴８に取り付けた媒体収容部２がぐらつくことなく鉛直に安定して固定されるようにしている。
【００１８】
取付穴８の底部には、図２に示すように接続部９が設けられている。この接続部９は、上面がコネクタであり、下方が電源に接続されている。
【００１９】
電気系統部１０は、媒体収容部２の内筒４の内側から底部５の下方に渡って配置され、主基盤１０ａにＬＥＤ配設基盤２５、媒体検知部１３、接続部１４等が設けられている。ＬＥＤ配設基盤２５は、フレキシブル基盤を折り曲げて縦長の略四角柱形状に形成されており、前後左右の各面に上下方向へ１３個のＬＥＤ２９を整列配置させている。この複数のＬＥＤ２９は、最下段の１段目から最上段の１３段目まで、全ての面で同じ高さに配置されており、各段が横並びに位置するよう構成されている。なお、この実施例では４面で各面１３段にＬＥＤを配置しているが、三角柱形状として３面とする、各面を１０段とするなど、適宜の面数および段数に構成することができる。
【００２０】
媒体検知部１３は、水圧を検知する水圧センサで構成されており、媒体収容部２の底部５に設けられた穴６の下方位置に対応して配置されている。これにより、媒体収容部２に水が注がれると、注がれた量に応じて上昇する水圧を随時検出し、水位及び水圧に応じた出力信号を出力できるようにしている。また、穴６に対して媒体検知部１３が密着されており、水が漏れ出ないように構成されている。
【００２１】
また、媒体検知部１３は、最下段のＬＥＤ２９の上端よりも距離Ｌだけ下方に配置されている。これにより、媒体収容部２内に注がれた水Ｗが媒体検知部１３に接触してから最下段のＬＥＤ２９を隠す高さに到達するまで一定量の水Ｗが必要となり、この一定量の水Ｗの水圧によって最下段のＬＥＤ２９を発光させる設定にできる。こうすることで、水Ｗを注いだ瞬間に誤発光するようなことを防止でき、安定した演出を実現できる。
【００２２】
図３（Ａ）は電気系統部１０の構成を示すブロック図であり、図３（Ｂ）はＬＥＤ配設基盤２５に設けられたＬＥＤ２９の構成を示すブロック図である。  
図３（Ａ）に示すように、電気系統部１０は、制御部１１、操作入力部１２、媒体検知部１３、接続部１４、及び発光部１５により構成されている。
【００２３】
制御部１１は、入力手段としての操作入力部１２および媒体検知部１３の入力を受け付け、内蔵する記憶部に記憶されているデータやプログラムに基づいて、発光部１５の発光制御を実行する。
【００２４】
操作入力部１２は、押しボタンスイッチ１２ａ（図１参照）で構成されており、押下されると押下信号を制御部１１に伝達する。なお、押しボタンスイッチに限らず、タッチパネルとするなど適宜の操作入力手段とすることができる。また、図１に図示するように土台７に押しボタンスイッチ１２ａを設けた場合、操作入力部１２は、接続部９，１４を介して押しボタンスイッチ１２ａのＯＮ／ＯＦＦ信号を受信するＯＮ／ＯＦＦ信号受信部とすることもできる。
【００２５】
媒体検知部１３は、水圧を検知する水圧センサで構成され、検知した水圧に応じた出力信号を制御部１１に伝達する。なお、水を使うために水圧センサとしたが、これに限らず圧力センサとするなど、適宜の構成とすることができる。
【００２６】
接続部１４は、図２に示した発光演出装置１の土台７に設けられた接続部９に接続されるコネクタであり、接続部９から供給される電力を制御部１１を含む各素子に供給する。この接続部１４は、取付足部２ａを取付穴８にしっかり挿入して取り付けると、接続部９にしっかりと接続されて通電する位置に設けられている。これにより、ワンタッチでの着脱を可能にしている。
【００２７】
発光部１５は、複数のＬＥＤ２９と該ＬＥＤ２９を配置したＬＥＤ配設基盤２５により構成されている。この発光部１５は、制御部１１の制御信号に従って、指定された発光色および発光強度での各ＬＥＤ２９の発光と消灯を実行する。
【００２８】
図３（Ｂ）に示すように、ＬＥＤ配設基盤２５上のＬＥＤ２９は、Ａ列、Ｂ列、Ｃ列、Ｄ列の４列で、１〜１３の１３段に配置されている。ＬＥＤ配設基盤２５上の各段で４列が直列接続され、各段が個別接続されているため、１段から１３段の段単位で発光制御できる構成となっている。すなわち、同じ段の４つのＬＥＤ２９は同期して同時に発光制御され、それぞれの段単位で独立して個別に発光制御される。
【００２９】
図４は、制御部１１内の記憶部に記憶されている発光制御設定データ３１のデータ構成図を示す。  
発光制御設定データ３１は、水位、水圧、出力電圧、及び発光ＬＥＤの４項目で構成されており、Ｎｏ．１からＮｏ．１３までの１３レコードに各データが記憶されている。水位はｗ１〜ｗ１３まで、水圧はｗｐ１〜ｗｐ１３まで、出力電圧はｖ１〜ｖ１３まで、および発光ＬＥＤは１段目〜１３段目まで、それぞれデータが記憶されている。
【００３０】
記憶されているデータについて詳述すると、図２に示した複数のＬＥＤ２９のうち下から１段目のＬＥＤ２９が水Ｗで隠れる高さの水位がｗ１に記憶されており、このときの水圧がｗｐ１に記憶されており、このときの媒体検知部１３の出力電圧がｖ１に記憶されている。同様にして、各段のＬＥＤ２９が水Ｗで隠れる高さの水位、水圧、出力電圧が各段に対応して記憶されている。  
なお、出力電圧ｖがわかればどの段のＬＥＤ２９を発光すれば良いかわかるため、発光制御設定データ３１は、水位や水圧を記憶しない構成としてもよい。
【００３１】
図５は、発光演出装置１の制御部１１が制御プログラムに従って実行する動作を示すフローチャートである。  
制御部１１は、操作入力部１２の押下入力がされたか否かによりテストモードか否か判断し（ステップＳ１）、テストモードでなければ（ステップＳ１：Ｎｏ）ステップＳ４へ処理を進める。
【００３２】
操作入力部１２が押下されてテストモードとなると（ステップＳ１：ＹＥＳ）、制御部１１は、全てのＬＥＤ２９を発光させるテスト発光を実行する（ステップＳ２）。このテスト発光を行う制御部１１は、全てのＬＥＤ２９を同時に同じ色で発光させ、全ての色で発光させてこの発光を繰り返す。なお、テスト発光の発光パターンは、全ての色の発光が終わると一旦消灯して同じ発光を繰り返す、あるいは消灯することなく繰り返すなど、あらかじめ定めた適宜のパターンとすることができる。
【００３３】
テスト発光が終了するまでステップＳ２を繰り返し（ステップＳ３：ＮＯ）、操作入力部１２の再押下がされてテスト終了と判断すると（ステップＳ３：ＹＥＳ）、制御部１１は、変数ｉに１を格納して初期化するとともに定数ＭＡＸに１３を格納して、ステップＳ５〜Ｓ９の順次発光モードの準備を行う（ステップＳ４）。なお、定数ＭＡＸとする数値は、ＬＥＤ２９の段数と同一、すなわちＬＥＤ２９を高さ方向に配置した数と同一に設定されている。
【００３４】
制御部１１は、媒体検知部１３の出力電圧を取得し（ステップＳ５）、この出力電圧が発光制御設定データ３１に記憶されているＮｏ（ｉ）の出力電圧ｖ（ｉ）以上か否か比較する。これにより、ｉ段目を発光させるべき高さ、すなわち注がれた水でｉ段目のＬＥＤ２９が覆われる高さにまで水Ｗが注がれているか否かを判定する。
【００３５】
出力電圧がｖ（ｉ）未満であれば、制御部１１はステップＳ５へ処理を戻して出力電圧の確認を繰り返し（ステップＳ６：ＮＯ）、出力電圧がｖ（ｉ）以上であれば発光制御設定データ３１に記憶されているＮｏ（ｉ）のＬＥＤ２９、すなわち下からｉ段目のＬＥＤ２９を発光させる（ステップＳ７）。このとき、ｉ段目におけるＡ列からＤ列までの全てのＬＥＤ２９を発光させる。また、発光させたｉ段目のＬＥＤ２９は、ステップＳ１０に進むまでそのまま発光を継続する。
【００３６】
なお、１段目のＬＥＤ２９が発光した後、制御部１１は、仮に操作入力部１２が押下されてもＬＥＤ２９を消灯したりテスト発光をさせたりしない。従って、水が注ぎこまれて１段目のＬＥＤ２９の発光が開始された後は、終了するまでテスト発光を実施しない本番モードとなる。これにより、演出中に誤って操作入力部１２が押下されても演出が崩れることを防止している。
【００３７】
制御部１１は、変数ｉの数値に１加算し（ステップＳ８）、変数ｉがＭＡＸ以下であれば（ステップＳ９：ＮＯ）、ステップＳ５に処理を戻して繰り返す。このステップＳ５からＳ９の繰り返しにより、媒体収容部２に水が注ぎこまれる量に応じて、１段目から順番にＬＥＤ２９が発光し始め、最上段である１３段目まで下から上へＬＥＤ２９が順番にＬＥＤ２９が発光していく。従って、新郎新婦等の演出者がジョーロＪで水を注いでいくと、注いだ水がＬＥＤ２９の発光によって光っているような演出となる。
【００３８】
変数ｉがＭＡＸより大きくなれば（ステップＳ９：ＹＥＳ）、最上段のＬＥＤ２９まで全て発光した状態であるから、制御部１１は、全発光演出モードに以降して全てのＬＥＤ２９を用いた発光演出を実行する（ステップＳ１０）。この発光演出は、緩やかに発光色を変化させる、発光強度を変化させるなど、様々な光の演出を行う。例えば、最下段のＬＥＤ２９から上段のＬＥＤ２９へ向かって発光色を変化させる、この逆の順で発光色を変化させる、全てのＬＥＤ２９の発光色を同時に順次変化させる、あるいはこれらを組み合わせるなど、適宜設定しておくとよい。
【００３９】
制御部１１は、終了条件に該当するまでステップＳ１０を継続し、終了条件になると（ステップＳ１１：ＹＥＳ）、全てのＬＥＤ２９を消灯し（ステップＳ１２）、処理を終了する。終了条件は、例えば操作入力部１２を二度押しする、操作入力部１２を一定時間以上押下する、媒体検知部１３からの出力電圧がｖ１（図４参照）未満などの所定電圧以下になるなど、適宜の条件とすることができる。
【００４０】
以上の構成および動作により、光による自由度の高い演出を演出者の動作に確実に連動させて実行でき、利用者の満足度を向上させることができる。  
ＬＥＤ２９の発光は、媒体収容部２に注がれた水の量に応じた媒体検知部１３の出力電圧に対応して順次行われるため、演出者による水を注ぐスピードが異なっていたり、途中で少し中断して再度注ぎ始めるようなことがあっても、その演出者の動作に確実に連動してＬＥＤ２９を発光させることができる。従って、演出者が途中でバランスを崩して水を注ぐ動作が中断されたような場合、水を注いでいないにもかかわらずＬＥＤ２９が順次発光していくようなことはなく、改めて水が注がれるまで発光するＬＥＤ２９が増加せずに現状維持することができる。そして、水が注がれるとそれに応じてまた残りのＬＥＤ２９が上段へ順次発光していく演出ができる。
【００４１】
また、全てのＬＥＤ２９が発光した後は、全ＬＥＤ２９を用いた発光演出を実行するため、変化があって美しい光の演出を行うことができる。
【００４２】
また、操作入力部１２が押下されるとテストモードとしてテスト発光を行うため、全てのＬＥＤ２９が問題なく発光しているか迅速に確認することができる。これにより、一生に一度の結婚披露宴で一部のＬＥＤ２９が発光しないというような不具合が生じないよう、確実な発光演出を提供して利用者の満足度を向上させることができる。
【００４３】
また、媒体検知部１３が水の量を検知できる水圧センサなど、媒体の量を検知できるセンサであるため、媒体を媒体収容部２に最下段のＬＥＤ２９の高さ以上に注いで最下段のＬＥＤ２９が発光するか否かによるセンサの点検を実施でき、点検後は媒体を媒体収容部２から取り出して演出待ちの状態とすることができる。
【００４４】
また、終了条件を検知すると全ＬＥＤ２９を消灯して終了するため、接続部９と接続部１４の接続を外す前に発光終了させることができる。
【００４５】
また、ステップＳ５〜Ｓ９における制御は、一端発光を開始したＬＥＤ２９について、仮に途中で水Ｗによる水圧（媒体による圧力）が下がっても消灯しない構成としているため、水Ｗの注ぎ方が不安定で水圧が変動するような場合でも、ＬＥＤ２９が発光／消灯を繰り返すような不自然な動作をすることなく、安定した美しい演出を行うことができる。
【００４６】
なお、媒体収容部２の内側には水Ｗを注ぐ構成としたが、これに限らず、他の液体とする、あるいは砂等の個体とするなど、注ぎ込むことができる適宜の媒体で構成とすることができる。水以外の液体とした場合には、その液体による圧力（水圧）に応じて発光制御設定データ３１を設定すればよい。また、砂等の個体とした場合には、例えば媒体収容部２の底面に媒体検知部１３としての圧力センサを備えて該圧力センサ上に媒体収容部２を載置する構成とし、媒体収容部２への個体の注ぎ込み量に応じて変化する重量を圧力センサで検知し、その検知に応じて発光制御設定データ３１を設定すればよい。
【００４７】
また、ＬＥＤ配設基盤２５に対して全てのＬＥＤ２９を個別に接続し、個別に制御する構成としてもよい。この場合、段単位で発光色や発光強度や消灯を制御するだけでなく、列単位で発光色や発光強度や消灯を制御する、あるいは全てのＬＥＤ２９を総合して発光色や発光強度や消灯を制御するなど、さらに自由度の高い光の演出を実現できる。
【００４８】
また、ステップＳ７ではＬＥＤ２９を発光させるだけとしたが、これに限らず、ステップＳ５〜Ｓ９の段階でもＬＥＤ２９の発光を変化させてもよい。この場合、どのＬＥＤ２９を発光開始するかのタイミングをステップＳ５〜Ｓ９の動作で制御し、発光開始したＬＥＤ２９の発光色や発光強度の制御は制御部１１があらかじめ定められた内容に沿って実施すればよい。またこの場合、ＬＥＤ２９の点灯開始がどのタイミングであっても、その発光開始の発光状態（発光色および発光強度）を制御部１１が発光制御している内容に合わせて発光開始する構成にするとよい。これにより、水を注ぐスピードに関わらず安定して美しい発光演出ができる。
【００４９】
また、ステップＳ１０における発光演出は、各ＬＥＤ２９がどの色で発光していても、その時に発光している色から最大輝度である白色発光へなだらかに変化させて全てのＬＥＤ２９を白色発光させるモード切替用発光制御を行い、全て白色発光した後に全てのＬＥＤ２９を用いた発光演出を行う構成としてもよい。これにより、ステップＳ１０になった瞬間にそれまでの発光と断絶した形で発光演出が行われることがなく、それまでのＬＥＤ２９の発光状態に関わらずなだらかに発光演出に移行することができ、自然な美しい光の演出を実現できる。
【００５０】
また、発光演出装置１の外形形状は、上述した形状に限らず、様々な形状とすることができる。例えば、図６（Ａ）の縦断正面図に示すように、媒体収容部２の外側を逆円錐台形状の透明または半透明の筒２Ａで囲み、土台７Ａを横断面円形で高さ方向に半径が変化する装飾脚部とすることができる。他にも、図６（Ｂ）の平面図および図６（Ｃ）の正面図に示すように、円筒形で外周面に多面突起を上下左右へ整列させた形状に表面をカッティングした透明または半透明のクリスタル筒２Ｂを利用し、このクリスタル筒２Ｂで媒体収容部２の外側を覆う構成にしてもよい。これにより様々なデザインでの演出を提供することができる。
【００５１】
また、外筒３の外形は円筒形に限らず、三角柱や四角柱や六角柱などの多角柱形状、円錐台形状、逆円錐台形状、中央が半径小で上下が半径大となるくびれ形状など、適宜の形状に形成することができる。これにより様々な形状での演出を提供することができる。
【００５２】
また、ＬＥＤ２９は電気により発光する発光体であればよく、豆電球や白熱球など、適宜の発光体により形成することができる。
【００５３】
また、ステップＳ６〜Ｓ７は、媒体検知部１３の出力電圧が発光制御設定データ３１のｖ（ｉ）以上になればｉ段目のＬＥＤ２９を発光させる構成としたが、ｖ（ｉ）以上の出力電圧が所定時間継続すればｉ段目のＬＥＤ２９を発光させる構成としてもよい。これにより、媒体検知部１３の上に水Ｗが直接落下して一時的に水圧が高く検知されて本来の水位に到達する前にＬＥＤ２９を発光させることを防止できる。
【００５４】
また、穴６の上方位置に遮水板（媒体を遮蔽する遮蔽部）を設け、落下してくる水Ｗ（媒体）が媒体検知部１３に直接当たらないように構成してもよい。この場合、水Ｗ（媒体）が媒体検知部１３に直接当たって一時的に水圧（媒体による圧力）が増加したように誤検知してＬＥＤ２９を誤発光することを防止できる。
【００５５】
また、操作入力部１２は、土台７の側面に備えられた押しボタンスイッチ１２ａに加えて、電源５１からの電力供給を物理的にＯＮ／ＯＦＦするＯＮ／ＯＦＦスイッチを土台７の側面に備えても良い。これにより、側面操作で容易にＯＮ／ＯＦＦを切り替えることができ、電源５１の電池から回路への放電によって電池の電圧が徐々に降下することを、ＯＦＦにすることで防止できる。従って、披露宴会場で前日等にセットしてＯＮ／ＯＦＦスイッチをＯＦＦにしておき、披露宴の１時間前や４時間前など適宜のタイミングでＯＮとすることで、電源５１の十分な電力を用いた安定動作を実現できる。
【実施例２】
【００５６】
次に、実施例２として、実施例１で説明した発光演出装置１の上部に注ぎ口カバー４０を設けた例について説明する。発光演出装置１の構成と動作は、実施例１と同一であるので、その詳細な説明を省略する。  
図７は、注ぎ口カバー４０と発光演出装置１の上部を示す縦断拡大正面図である。
【００５７】
注ぎ口カバー４０は、平面視がコンパクトディスクのような平リング状のカバーリング４３と、カバーリング４３の上面に設けられた円筒形の注ぎ口４１と、カバーリング４３の下面に設けられた円筒形の流下口４５とが同心円上に配置され一体に形成されている。
【００５８】
注ぎ口４１は、カバーリング４３の外周半径よりも少し小さい外周半径の円筒形であり、内周面が飛び跳ね防止壁４２として機能する。すなわち、注ぎ口４１がある程度の高さに形成されており、ジョーロＪから注がれた水Ｗが飛び跳ねることや、溢れて漏れ出ることを防止している。
【００５９】
カバーリング４３は、外周半径が媒体収容部２の筒２Ａの内周半径よりも大きくなるように形成されており、好ましくは筒２Ａの外周半径と同じ程度の大きさに形成されている。これにより、カバーリング４３を媒体収容部２の筒２Ａの上面に安定して載置でき、筒２Ａの内側にカバーリング４３が落ち込むことの無いようにしている。
【００６０】
また、カバーリング４３は、中央に穴４４を有している。穴４４の大きさは、注ぎ口４１の内周面の半径よりも十分に小さい半径に形成され、さらに媒体収容部２の外筒３の内周面の半径よりも少し小さく、媒体収容部２の内筒４の外周面の半径よりも十分に大きく形成されている。この穴４４は、流下口４５の内面と連通している。
【００６１】
流下口４５は、内周半径が注ぎ口４１の内周半径よりも小さくなるように構成されており、外周面が媒体収容部２の外筒３の内周面に近接する大きさに形成されている。これにより、注ぎ口カバー４０全体が、注ぎ口４１の外周面が媒体収容部２の外筒３の内周面に接触する範囲に位置決めされ、安定した位置に容易に設置できるようになっている。
【００６２】
また、注ぎ口４１の内周半径よりも流下口４５の内周半径を小さくしていることで、流下口４５の内側へ水Ｗを注ぎやすくするとともに、水Ｗがこぼれたり溢れたりすることを注ぎ口４１で防止できるようにしている。また、水Ｗが注がれる領域が流下口４５下方の外筒３内にせばめられて少ない水Ｗで済み、かつ、それより大きく周囲にカッティングを施した筒２Ａにより、発光演出装置１全体が大きく見え、広い面積で光の演出を行えるようにしている。
【００６３】
このように構成することで、水Ｗの注ぎやすさを向上させることができ、利用者の満足度を向上させることができる。  
カバーリング４３の外周面は、発光演出装置１の筒２Ａの内周面よりも大きいため、筒２Ａ内に意図しない水Ｗが侵入して障害が発生することを防止できる。また、内筒４内は上面４ａにより水Ｗが侵入せず、この内筒４と外筒３の間に水Ｗが収納されるように流下口４５でガイドされるため、水Ｗの流れを意図した範囲内に制限して安定して利用することができる。
【実施例３】
【００６４】
次に、実施例３として、他の電気系統部の例を示す。なお、電気系統部以外の構成および動作は、実施例１の発光演出装置１と同一であるので、その詳細な説明を省略する。
【００６５】
図８は、電気系統部５０の構成を示すブロック図である。電気系統部５０は、電源５１、電圧安定部５２、切替処理部５３、媒体検知部５４、制御部５５、記憶部５９、発光部６０、および動作確認リセット部６１を備えている。
【００６６】
電源５１は、乾電池あるいは充電池などの電源である。なお、電圧降下の影響を防止するためには、新品の乾電池を用いることが好ましい。  
電圧安定部５２は、電源５１から供給される電圧を安定させるＩＣである。これにより、電源５１の電圧降下や静電気等による電圧変動によって媒体検知部５４の出力値が不適切な値となって誤作動することを防止している。
【００６７】
切替処理部５３は、手動操作によって切り替えるスイッチである。手動操作により、テストモードと本番モードに切り替えられる。
【００６８】
媒体検知部５４は、水圧を検知する水圧センサで構成されている。この水圧センサは、電圧検知によりセンシングしている。従って、電圧安定部５２により電圧が安定化されることで、安定した動作を実行できる。切替処理部５３が本番モードとなっていれば、水圧によって変動する電圧を常時検知し、検知信号を制御部５５の基準更新部５６へ伝達する。
【００６９】
制御部５５は、各種制御動作を実行するＩＣであり、基準更新部５６、比較判定部５７、および発光制御部５８を有している。
【００７０】
基準更新部５６は、受け取った検知信号について、基準電圧の更新が必要か否かを判定し、必要であれば記憶部５９に記憶している基準電圧を更新する。この基準更新部５６は、電源５１による電源投入時は、所定時間待機した後の検知信号を基準電圧として記憶部５９に記憶する。これにより、電源投入直後の不安定動作時に検知した電圧を基準電圧としないようにして、安定した後の電圧を基準電圧にできる。
【００７１】
また、基準更新部５６は、一定時間（例えば１分、３分、または５分など）経過毎に、基準電圧を更新する。これにより、電源５１の電圧が消耗によって低下してきても、その低下した電圧を基準電圧にすることができる。こうすることで、消耗による電圧降下を水圧による電圧降下と誤検知してしまうことを防止できる。なお、基準更新部５６は、媒体検知部５４から受け取った検知信号をそのまま比較判定部５７に伝達する。
【００７２】
比較判定部５７は、常時受け取る検知信号の電圧を、記憶部５９の基準電圧と比較し、あらかじめ定められた所定値以上の差がないかを確認する。この所定値は、実施例１にて説明した外筒３内の水Ｗの量に基づいて定められている。すなわち、高さ方向に配置されたＬＥＤ２９について、あるＬＥＤ２９の高さまで水Ｗが注がれた際の水圧による電圧（媒体検知部５４が出力する電圧）と、その１つ上のＬＥＤ２９の高さまで水“が注がれた際の水圧による電圧との差を、前記所定値とする。従って、この所定値の電圧変化があるごとに、ＬＥＤ２９が下から１つずつ点灯することになる。
【００７３】
また、比較判定部５７は、記憶部５９の基準電圧と比較する処理を、受信した所定回数（例えば５回、１０回、１５回など）の検知信号に基づいて実行し、ＬＥＤ２９を点灯させる段階にまで水Ｗが注がれたか否かを判定する。この判定は、所定回数の検知信号の電圧の平均値をとって基準電圧と比較して判定する、あるいは、所定回数の検知信号の電圧水位が徐々に降下しているのか特異な電圧がないかを確認した上で平均値により判定するなど、適宜の基準で実行することができる。
【００７４】
発光制御部５８は、比較判定部５７から受け取った信号に基づいて発光部６０に設けられたＬＥＤ２９の発光制御を実行する。比較判定部５７からの信号の受け取りは、ＬＥＤ２９の点灯段階を次の段階に進める、すなわち現在点灯しているＬＥＤ２９より１つ上のＬＥＤ２９を点灯させるための信号となる。この信号を受けて、発光制御部５８は、次に発光させるＬＥＤ２９を徐々に明るく発光させる、発光する色を変化させる等、設定されたパラメータに応じた適宜の制御処理で実行する。従って、比較判定部５７からの信号はＬＥＤ２９の演出（点灯）の開始タイミングのトリガとなり、以降の発光制御を発光制御部５８が実行する。
【００７５】
記憶部５９は、基準更新部５６から受信した基準電圧を記憶し、比較判定部５７が必要に応じて実行する読み出し指示に応じてその時点の基準電圧を比較判定部５７に伝達する。記憶部５９による基準電圧の記憶は、常に上書き記憶することとする。これにより、最新の基準電圧のみを記憶している。
【００７６】
発光部６０は、複数のＬＥＤ２９で構成されており、発光制御部５８により点灯、消灯、点灯する輝度、点灯する色合いが制御される。
【００７７】
動作確認リセット部６１は、制御部５５が異常動作していないかを常に監視しており、異常動作を確認するとリセット処理をし、電源５１による電源投入から開始する再起動を行う。この監視は、制御部５５に信号を送信して正常な応答信号があるか等を検知することで実行すればよい。
【００７８】
以上の構成および動作により、実施例１と同じ作用効果に加えて、より安定した光の演出を実行できる。  
電源投入時は基準電圧の記憶まで所定時間を空けることで安定した基準電圧を記憶でき、誤作動を防止できる。
【００７９】
また、媒体検知部５４から出力される検知信号を複数回取得して状態を判定するため、静電気やノイズ等によって出力される検知信号に不適切なものがあっても、これによって誤作動を起こすことを防止できる。
【００８０】
また、電圧安定部５２、基準更新部５６、比較判定部５７、動作確認リセット部６１、これらの複数、またはこれらの全部は、誤作動を防止する誤作動防止手段として機能するため、新郎新婦にとって二度とない特別な瞬間である結婚披露宴で誤作動することを防止できる。
【００８１】
この発明は、上述の実施形態の構成のみに限定されるものではなく、多くの実施の形態を得ることができる。
【産業上の利用可能性】
【００８２】
この発明は、結婚披露宴に代表されるパーティーでの演出など、光による演出に利用することができる。
【符号の説明】
【００８３】
１…発光演出装置
２…媒体収容部
１１…制御部
１２…操作入力部
１３…媒体検知部
２９…ＬＥＤ
５２…電圧安定部
５６…基準更新部
５７…比較判定部
６１…動作確認リセット部
Ｗ…水
【図１】
2013048885.tif 000003
【図２】
2013048885.tif 000004
【図３】
2013048885.tif 000005
【図４】
2013048885.tif 000006
【図５】
2013048885.tif 000007
【図６】
2013048885.tif 000008
【図７】
2013048885.tif 000009
【図８】
2013048885.tif 000010